(57)【特許請求の範囲】
【請求項１】
双方のコネクタハウジングに近接・離間移動によって接触・非接触とされる端子をそれぞれ設け、前記一方のコネクタハウジングに移動自在にレバーを設け、このレバーと前記他方のコネクタハウジングとのいずれか一方にカム溝を、他方に該カム溝に係合されるカムピンをそれぞれ設け、前記一方のコネクタハウジングを前記他方のコネクタハウジングに対して前記カムピンが前記カム溝に係合されるコネクタ仮嵌合位置にセットし、このコネクタ仮嵌合位置にあって前記レバーを移動開始位置より嵌合完了位置に移動すると、前記カムピンが前記カム溝にガイドされることによって前記一方のコネクタハウジングが前記他方のハウジングに近接移動して前記双方のコネクタハウジングの各端子同士が接触状態とされるコネクタ嵌合位置に移動され、前記双方のコネクタハウジングがコネクタ嵌合位置にあって前記レバーを嵌合完了位置より移動開始位置に移動すると、前記カムピンが前記カム溝にガイドされることによって前記一方のコネクタハウジングが前記他方のコネクタハウジングに離間移動して前記双方のコネクタハウジングの各端子同士が非接触状態とされるコネクタ仮嵌合位置に移動されるようにしたレバー嵌合式電源回路遮断装置であって、
前記双方のコネクタハウジングのコネクタ仮嵌合位置で該双方のコネクタハウジングの各端子間の距離を０．５ｍｍ以上設けたことを特徴とするレバー嵌合式電源回路遮断装置。
【請求項２】
請求項１記載のレバー嵌合式電源回路遮断装置であって、
前記レバーの移動は、前記双方のコネクタハウジングの各端子間が接触・非接触にされる移動開始位置と回転完了位置との間の回転移動と、嵌合検知スイッチがオン・オフされる回転完了位置と嵌合完了位置との間の直線移動とからなり、前記嵌合検知スイッチによりオン・オフされるリレー回路と前記双方のコネクタハウジングの各端子によるパワースイッチとが電源回路に直列接続で介在されるようにしたことを特徴とするレバー嵌合式電源回路遮断装置。
【発明の詳細な説明】
【０００１】
【発明の属する技術分野】
本発明は、カム機構を利用してレバーを低操作力で操作することにより一方のコネクタハウジングを他方のコネクタハウジングに装着・取り外し可能なレバー嵌合式電源回路遮断装置に関する。
【０００２】
【従来の技術】
例えば電気自動車では、バッテリーである電源の容量が通常のガソリンエンジン車等に比べて大容量であるため、電気系統等をメンテナンスするような場合には回路遮断装置によって電源回路を開放して作業安全性を確保する。この種の従来の電源回路遮断装置として、図２３〜図３０に示す特開平１０−１４４１８６号公報に開示されたものがある。
【０００３】
図２３〜図２６に示すように、この回路遮断装置１００は、装置本体１０１とこの装置本体１０１に着脱自在に設けられた着脱プラグ１０２とから構成されている。装置本体１０１には一対の雄端子１０３，１０３が設けられ、この一対の雄端子１０３，１０３の一方が負荷部に、他方がヒューズ１０４を介して電源部にそれぞれ電気的に接続されている。装置本体１０１の一対の雄端子１０３，１０３の両外側位置にはカム溝１０５を有する一対の垂直ガイド壁部１０６，１０６がそれぞれ設けられている。
【０００４】
また、図２６に示すように、装置本体１０１にはリードスイッチ１０７ａが設けられており、このリードスイッチ１０７ａのオン・オフによって電源回路の導通・非導通が検知される。さらに、図２３及び図２６に示すように、装置本体１０１にはボルト取付孔１０８が適所に設けられ、このボルト取付孔１０８に挿入された図示しないボルトによって装置本体１０１が図示しない取付面に固定されるようになっている。
【０００５】
着脱プラグ１０２は、一対のカム突起１０９，１０９が左右側面に設けられた操作レバー１１０と、この操作レバー１１０に支軸１１１を介して回転自在に設けられたプラグ本体１１２と、このプラグ本体１１２に固定され、ブスバー１１３によって電気的に接続された一対の雌端子１１４，１１４とを備えている。また、操作レバー１１０の左右対称位置にはマグネット１０７ｂがそれぞれ埋設されている。
【０００６】
操作者が着脱プラグ１０２の操作レバー１１０を握持し、図２５の実線位置から仮想線位置で示すように、一対のカム突起１０９，１０９を装置本体１０１の一対のカム溝１０５，１０５に合わせて挿入すると、その着脱プラグ１０２の挿入ストロークで雌端子１１４に雄端子１０３が挿入され、図２４に示すように、一対の雄端子１０３，１０３間が一対の雌端子１１４，１１４及びブスバー１１３を介して電気的に接続され、電源回路が導通状態となる。このように着脱プラグ１０２を装置本体１０１に挿入した後に、図２５の仮想線位置から実線位置で示すように、操作レバー１１０をプラグ本体１１２に対して回転させ、図２６に示すように、操作レバー１１０を装置本体１０１上に横倒しさせた状態とする。この操作レバー１１０の横倒し直前にマグネット１０７ｂがリードスイッチ１０７ａに近接対向してリードスイッチ１０７ａがオンされる。これにより電源回路が導通状態とされたことが電気的に検知される。
【０００７】
また、回路遮断状態とするには、横倒し状態の操作レバー１１０を直立状態まで回転し、装置本体１０１に装着された着脱プラグ１０２を装置本体１０１より上方に引き抜く。すると、その着脱プラグ１０２の引き抜きストロークで一対の雌端子１１４，１１４が一対の雄端子１０３，１０３より外れ、一対の雄端子１０３，１０３間が遮断され、電源回路が遮断状態となる。
【０００８】
次に、上記した回路導通動作を図２７〜図３０を用いて説明すると、図２７に示すように、操作レバー１１０のカム突起１０９を装置本体１０１のカム溝１０５に合わせて着脱プラグ１０２を装置本体１０１に挿入するに際し、図２８に示すように、作業者が完全挿入手前で挿入を完了したものと誤解して操作レバー１１０を回転する場合がある。このような場合には、図２９に示すように、操作レバー１１０と共にカム突起１０９が回転してカム溝１０５の上面に突き当たり、この状態より更に操作レバー１１０が回転されると、てこの原理により操作レバー１１０に下方に外力が作用し、この外力により着脱プラグ１０２が徐々に挿入される。
【０００９】
そして、図３０に示すように、操作レバー１１０が横倒し位置に位置されるまでに着脱プラグ１０２が完全挿入位置まで挿入され、これにより双方の一対の端子１０３，１１４同士が完全嵌合状態とされる。以上より、着脱プラグ１０２の装置本体１０１への挿入が不完全であっても双方の一対の端子１０３，１１４同士が不完全嵌合状態となることが防止される。
【００１０】
【発明が解決しようとする課題】
しかしながら、前記従来の電源回路遮断装置１００では、操作レバー１１０が装置本体１０１から完全に離脱した状態で初めて双方の端子１０３，１１４間が非接触状態となり、操作レバー１１０が装置本体１０１に対して横押し状態から直立状態に回転されただけでは未だ双方の端子１０３，１１４間が接触状態である。にもかかわらずレバー１１０を回転開始位置に戻したことから双方の端子１０３，１１４間も非接触状態になったものと勘違いしてメンテナンス等がなされると作業者の安全性が確保されない。また、前記電源回路遮断装置１００では、操作レバー１１０が横倒し状態から直立状態に戻されると、リードスイッチ１０７ａがオフになり、リードスイッチ１０７ａのオフにより双方の端子１０３，１１４間も非接触状態になったものと勘違いするおそれもある。
【００１１】
一方、低電圧・小電流用コネクタ装置においては、レバーの操作により双方のコネクタハウジング間をコネクタ仮嵌合位置とコネクタ嵌合位置との間で近接・離間移動させて双方の端子間を接触・非接触状態とするものが種々提案されているが、レバーの移動開始位置であるコネクタ仮嵌合位置における双方の端子間の距離については何ら考慮されていない。従って、このような低電圧・小電流用コネクタ装置を高電圧・大電流用の電源回路遮断装置に適用すると、アーク放電が発生するおそれがあり、作業者の安全性が確保されない。
【００１２】
そこで、本発明は、前記した課題を解決すべくなされたものであり、双方のコネクタハウジングのコネクタ仮嵌合位置で該双方のコネクタハウジングの各端子間が非導通状態となってアーク放電の発生を確実に防止することができ、作業者の安全性を確保することができるレバー嵌合式電源回路遮断装置を提供することを目的とする。
【００１３】
【課題を解決するための手段】
請求項１の発明は、双方のコネクタハウジングに近接・離間移動によって接触・非接触とされる端子をそれぞれ設け、前記一方のコネクタハウジングに移動自在にレバーを設け、このレバーと前記他方のコネクタハウジングとのいずれか一方にカム溝を、他方に該カム溝に係合されるカムピンをそれぞれ設け、前記一方のコネクタハウジングを前記他方のコネクタハウジングに対して前記カムピンが前記カム溝に係合されるコネクタ仮嵌合位置にセットし、このコネクタ仮嵌合位置にあって前記レバーを移動開始位置より嵌合完了位置に移動すると、前記カムピンが前記カム溝にガイドされることによって前記一方のコネクタハウジングが前記他方のハウジングに近接移動して前記双方のコネクタハウジングの各端子同士が接触状態とされるコネクタ嵌合位置に移動され、前記双方のコネクタハウジングがコネクタ嵌合位置にあって前記レバーを嵌合完了位置より移動開始位置に移動すると、前記カムピンが前記カム溝にガイドされることによって前記一方のコネクタハウジングが前記他方のコネクタハウジングに離間移動して前記双方のコネクタハウジングの各端子同士が非接触状態とされるコネクタ仮嵌合位置に移動されるようにしたレバー嵌合式電源回路遮断装置であって、前記双方のコネクタハウジングのコネクタ仮嵌合位置で該双方のコネクタハウジングの各端子間の距離を０．５ｍｍ以上設けたことを特徴とする。
【００１４】
このレバー嵌合式電源回路遮断装置では、双方のコネクタハウジングがコネクタ仮嵌合位置の状態で該双方のコネクタハウジングの各端子間がアーク放電の発生しない距離だけ少なくとも離間されている。これにより、双方のコネクタハウジングの各端子間におけるアーク放電の発生が確実に防止され、レバーの操作のみで作業者の安全が確保される。
【００１５】
請求項２の発明は、請求項１記載のレバー嵌合式電源回路遮断装置であって、前記レバーの移動は、前記双方のコネクタハウジングの各端子間が接触・非接触にされる移動開始位置と回転完了位置との間の回転移動と、嵌合検知スイッチがオン・オフされる回転完了位置と嵌合完了位置との間の直線移動とからなり、前記嵌合検知スイッチによりオン・オフされるリレー回路と前記双方のコネクタハウジングの各端子によるパワースイッチとが電源回路に直列接続で介在されるようにしたことを特徴とする。
【００１６】
このレバー嵌合式電源回路遮断装置では、レバーが嵌合完了位置から回転完了位置に直線移動する動作過程で、嵌合検知スイッチやリレー回路等の故障により電源回路（電気回路）が故障してリレー回路が正常にオフされなくても、双方のコネクタハウジングがコネクタ仮嵌合位置の状態で該双方のコネクタハウジングの各端子間がアーク放電の発生しない距離だけ離間しているので、双方のコネクタハウジングの各端子間におけるアーク放電の発生が確実に防止される。即ち、レバーの操作のみで電源回路が遮断されて作業者の安全が確保される。
【００１７】
【発明の実施の形態】
以下、本発明の一実施形態を図面に基づいて説明する。
【００１８】
図１〜図２２は本発明の一実施形態のレバー嵌合式電源回路遮断装置を示し、図１（ａ）は一方のコネクタハウジングの分解正面図、図１（ｂ）は一方のコネクタハウジングの分解側面図、図２はレバーの斜視図、図３（ａ）はレバーの側面図、図３（ｂ）は図３（ａ）のＡ−Ａ線に沿う断面図、図４はレバーを装着した一方のコネクタハウジングであって、レバーが回転開始位置に位置する状態を示す正面図、図５はレバーを装着した一方のコネクタハウジングであって、レバーが回転開始位置に位置する状態を示す背面図、図６（ａ）はレバーを装着した一方のコネクタハウジングの一部を切り欠いた平面図、図６（ｂ）はレバーを装着した一方のコネクタハウジングの底面図、図７は他方のコネクタハウジングの一部を切り欠いた正面図、図８（ａ）は他方のコネクタハウジングの平面図、図８（ｂ）は図８（ａ）のＢ−Ｂ線に沿う断面図である。
【００１９】
図１０〜図１５及び図１８〜図２２に示すように、高電圧・大電流回路用のレバー嵌合式電源回路遮断装置１Ａは、合成樹脂製の一方のコネクタハウジング１と、この一方のコネクタハウジング１に取り付けられた合成樹脂製のレバー２と、このレバー２の操作により一方のコネクタハウジング１が装着される合成樹脂製の他方のコネクタハウジング３とを備えている。
【００２０】
図１及び図４〜図６に示すように、一方のコネクタハウジング１は、ハウジング本体４とこのハウジング本体４の上方を塞ぐように装着されるカバー５とを有し、ハウジング本体４の三角錐の一対の突起（凸部）６，６にカバー５の係止孔７が挿入されることによってカバー５がハウジング本体４に装着されるようになっている。三角錐の各突起６は、下方側がハウジング本体４の面に対して垂直面になり、上方及び側方が共にハウジング本体４の面より徐々に立ち上がる傾斜面になるように設けられており、これによってカバー５は図１（ａ）にて実線で示すようにハウジング本体４の上方からと、図１（ａ）にて仮想線で示すようにハウジング本体４の側方からとの両方向から装着可能になっている。従って、狭いスペースにレバー嵌合式電源回路遮断装置１Ａが設置される場合においてカバー５の装着や取り外しを容易に行うことができるようになっている。
【００２１】
ハウジング本体４の下方には端子フード部８が設けられ、この端子フード部８内に図５と図６（ｂ）に示す一対の雄端子（端子）９，９が下方に突出された状態で設けられている。この一対の雄端子９，９はハウジング本体４内に収容された図６（ａ）と図２１に示すヒューズ１０を介して電気的に接続されている。
【００２２】
ハウジング本体４の外壁には一対のガイドピン１１，１１が突設されており、この各ガイドピン１１は円柱形状の上下端部をカットした略楕円形状を有している。つまり、長寸法幅の部分と短寸法幅の部分とが構成されている。そして、一対のガイドピン１１，１１には、レバー２の後述するガイド溝２０にそれぞれ係合されるようになっている。
【００２３】
また、ハウジング本体４の外壁には略半球状の一対の係止突起（凸部）１２，１２が突設されており、この各係止突起１２はハウジング本体４の外壁の一対のスリット１３，１３間で形成された可撓アーム部１４に設けられている。一対の係止突起１２，１２はレバー２の後述する第１係止孔２２及び第２係止孔２３が挿入されることによってレバー２を所定の位置に保持するものであり、可撓アーム部１４の弾性撓み変形によってハウジング本体４の内側方向に容易に変移するようになっている。さらに、ハウジング本体４の外壁には一対のレバー軌跡矯正用ガイド溝１５，１５が設けられており、この各レバー軌跡矯正用ガイド溝１５を形成する一方の段差側面１５ａは、上下方向に延びる垂直段差側面と水平方向に延びる水平段差側面とこれらの側面を円弧状に結ぶ円弧段差側面とから形成されている。そして、この一対のレバー軌跡矯正用ガイド溝１５，１５には他方のコネクタハウジング３の後述する一対のレバー軌跡矯正用ガイドピン２４，２４が係合され、一対のレバー軌跡矯正用ガイドピン２４，２４はレバー軌跡矯正用ガイド溝１５の段差側面１５ａに沿って摺動されるようになっている。
【００２４】
また、ハウジング本体４には一対のレバー回転ストッパー部１６，１６が突設されている。この一対のレバー回転ストッパー部１６，１６は、レバー２が一方のコネクタハウジング１に直立状態となる図１０及び図１１の回転開始位置と、レバー２が一方のコネクタハウジング１に平行状態となる図１４の回転完了位置との間でのみ回転可能なようにレバー２の回転を規制している。
【００２５】
図２〜図６に示すように、レバー２は、間隔を置いて平行に配置された一対のアームプレート部１８ａ，１８ｂと、この一対のアームプレート部１８ａ，１８ｂを連結する操作部１９とを備えている。一対のアームプレート部１８ａ，１８ｂには水平方向に延びるガイド溝２０が対称位置に設けられており、この各ガイド溝２０に一方のコネクタハウジング１の一対のガイドピン１１，１１がそれぞれ挿入されている。各ガイド溝２０は、一端側の円弧状の円弧部２０ａと、これに連通される直線状のストレート部２０ｂとから構成されている。この円弧部２０ａの直径はガイドピン１１の円弧部分（長寸法幅の部分）の直径より若干だけ大きく、ストレート部２０ｂの幅はガイドピン１１のカットされた部分（短寸法幅の部分）の幅より若干だけ大きくそれぞれ設けられている。そして、レバー２は、図１４に示す回転完了位置以外の回転位置ではガイドピン１１がガイド溝２０の円弧部２０ａにのみ配置可能とされ、図１０及び図１１の回転開始位置（移動開始位置）と図１４の回転完了位置との間の回転移動が許容され、図１４に示す回転完了位置（図１５に示す嵌合完了位置）の回転位置ではガイドピン１１がガイド溝２０の円弧部２０ａからストレート部２０ｂへのスライド移動が可能とされ、図１４の回転完了位置と図１５の嵌合完了位置との間のスライドによる直線移動が許容される。レバー２は、以上のように一方のコネクタハウジング１に対して回転移動、且つ、直線移動可能に設けられている。
【００２６】
また、一対のアームプレート部１８ａ，１８ｂには対称位置にカム溝２１が設けられており、この一対のカム溝２１は一方のコネクタハウジング１を他方のコネクタハウジング３に装着する際に他方のコネクタハウジング３の後述するカムピン３６を挿入する。この各カム溝２１は、一端側がアームプレート部１８ａ，１８ｂの端面に開口する開口部２１ａを有し、この開口部２１ａから奥に向かうに従ってガイド溝２０の円弧部２０ａからの距離ｒを徐々に近接する方向に可変する屈曲部２１ｂと、ガイド溝２０のストレート部２０ｂに平行に配置されたストレート部２１ｃとから構成されている。
【００２７】
さらに、図１０に示すように、レバー２が直立状態とされた場合に開口部２１ａの上方の側壁面は、レバー２を用いずに一方のコネクタハウジング１を他方のコネクタハウジング３に挿入してコネクタ仮嵌合位置とする際に、図１１及び図１２に示すように、カムピン３６が当接されるカム溝２１の側壁ストッパ面１７として形成されている。つまり、それ以上のカムピン３６の挿入が阻止され、それ以降はレバー２の操作によってのみ挿入されるようになっている。
【００２８】
また、一対のアームプレート部１８ａ，１８ｂには第１係止孔（凹部）２２及び第２係止孔（凹部）２３が対称位置にそれぞれ設けられており、この第１係止孔２２及び第２係止孔２３に一方のコネクタハウジング１の係止突起１２が挿入されている。レバー２が一方のコネクタハウジング１に直立状態となる回転開始位置（移動開始位置）では第１係止孔２２に係止突起１２が挿入されることによってレバー２が回転開始位置（移動開始位置）に位置保持される。さらに、レバー２が一方のコネクタハウジング１に平行状態となる嵌合完了位置では第２係止孔２３に係止突起１２が挿入されることによってレバー２が嵌合完了位置に位置保持される。尚、レバー２の回転完了位置は操作途中位置であるため、係止突起１２は係止されない。
【００２９】
さらに、一対のアームプレート部１８ａ，１８ｂの内壁にはレバー軌跡矯正用ガイドピン２４，２４がそれぞれ設けられており、この一対のレバー軌跡矯正用ガイドピン２４，２４は一方のコネクタハウジング１の一対のレバー軌跡矯正用ガイド溝１５，１５に係合されている。また、一対のアームプレート部１８ａ，１８ｂの一方は他方に比べて幅広に設けられ、この幅広のアームプレート部１８ｂには図３（ａ）及び図５に示すコネクタ部２５が設けられ、このコネクタ部２５には嵌合検知用端子としての嵌合検知用雄端子２６が設けられている。さらに、操作部１９には指挿入孔２７が設けられており、この指挿入孔２７は人間の指一本のみがようやく挿入できる程度の大きさに設定されている。
【００３０】
図７及び図８に示すように、他方のコネクタハウジング３は上面が解放された概略直方体形状を有し、その内部スペースが一方のコネクタハウジング１の装着スペース３０となっている。この装着スペース３０の下面となる底面部３１には図２１及び図２２に示すボルト挿入孔３２が形成され、このボルト挿入孔３２に挿入されたボルト３３によって他方のコネクタハウジング３が図示しない所望の取付面に固定されるようになっている。
【００３１】
また、装着スペース３０の下面となる底面部３１には端子フード収容部３４が上下方向に突出した状態で一体的に設けられており、この端子フード収容部３４内には図５及び図６（ｂ）に示す一対の雌端子（端子）３５，３５がそれぞれ収容されている。一方のコネクタハウジング１が他方のコネクタハウジング３の上方から下方に近接移動されると、一方のコネクタハウジング１の一対の雄端子９，９が端子フード収容部３４内に入り込んで一対の雌端子３５，３５に接触され、また、相互の端子９，３５間が接触状態にあって一方のコネクタハウジング１が下方から上方に離間移動されると、一対の雄端子９，９が端子フード収容部３４内から退出して一対の雌端子３５，３５と非接触とされる。そして、図１１〜図１３に示すコネクタ仮嵌合位置では、双方のコネクタハウジング１，３の各端子９，３５間の距離（隙間）ｄを１．４ｍｍに設定してある。即ち、図１１〜図１３に示すコネクタ仮嵌合位置において双方のコネクタハウジング１，３の各端子９，３５間の距離ｄは、１．４ｍｍだけ離間するように設定されている。
【００３２】
また、各雌端子３５にはリード線３９ａの一端側が接続されており、リード線３９ａの一方は電源回路Ｄの負荷部４０側に、他方は電源回路Ｄの電源部４１側にそれぞれ導かれている。つまり、図９に示すように、双方のコネクタハウジング１，３の雄端子９と雌端子３５とによって電源回路ＤのパワースイッチＳＷ１が構成されている。
【００３３】
また、他方のコネクタハウジング３の内周壁の対称位置には一対のカムピン３６，３６が突設されており、この一対のカムピン３６，３６は、一方のコネクタハウジング１が装着される際にレバー２のカム溝２１に挿入されるようになっている。さらに、他方のコネクタハウジング３の装着スペース３０内にはコネクタ部３７が設けられており、このコネクタ部３７には嵌合検知用端子としての一対の嵌合検知用雌端子３８，３８が配置されている。この一対の嵌合検知用雌端子３８，３８とレバー２の一対の嵌合検知用雄端子２６，２６とによって嵌合検知スイッチＳＷ２が構成されている。この嵌合検知スイッチＳＷ２は一対の嵌合検知用雌端子３８，３８にレバー２の一対の嵌合検知用雌端子２６，２６が接触されることによってオンされ、レバー２の一対の嵌合検知用雌端子２６，２６が非接触の状態でオフされる。この一対の雌端子３８，３８にはリード線３９ｂがそれぞれ接続されており、この双方のリード線３９ｂは電源回路Ｄ内のリレー回路４２に導かれている。
【００３４】
次に、電源回路Ｄを説明する。図９に示すように、電源回路Ｄは、負荷部４０と、この負荷部４０に電源を供給する電源部４１とを有し、この負荷部４０と電源部４１には双方のコネクタハウジング１，３の端子９，３５によるパワースイッチＳＷ１とリレー回路４２とが直列に接続されている。リレー回路４２は嵌合検知スイッチＳＷ２のオン時にはオンされ、嵌合検知スイッチＳＷ２のオフ時にはオフされる電気回路である。双方のコネクタハウジング１，３の端子９，３５によるパワースイッチＳＷ１は、上述したように機械的なスイッチである。
【００３５】
次に、レバー嵌合式電源回路遮断装置１Ａの動作を図１０〜図２１を用いて説明する。図１０は一方のコネクタハウジング１を他方のコネクタハウジング３に装着前の状態を示す斜視図、図１１は一方のコネクタハウジング１を他方のコネクタハウジング３に装着する過程のコネクタ仮嵌合位置であってレバー２が回転開始位置にある状態を示す斜視図、図１２はその同じ状態の一部破断の正面図、図１３はその同じ状態で、且つ、レバー２を省略した断面図、図１４は一方のコネクタハウジング１を他方のコネクタハウジング３に装着する過程であって、レバー２が回転完了位置にある状態を示す斜視図、図１５は一方のコネクタハウジング１を他方のコネクタハウジング３に装着完了した状態を示す斜視図、図１６（ａ）は一方のコネクタハウジング１を他方のコネクタハウジング３に装着する際のカムピン３６の移動過程を説明するものであって、レバー２が回転開始位置と回転完了位置との間にある状態を示す正面図、図１６（ｂ）は同じくカムピン３６の移動過程を説明するものであって、レバー２が回転完了位置にある状態を示す正面図、図１６（ｃ）は同じくカムピン３６の移動過程を説明するものであって、レバー２が嵌合完了位置にある状態を示す正面図、図１７（ａ）は一方のコネクタハウジング１を他方のコネクタハウジング３に装着する際のレバー軌跡矯正用ガイドピン２４の移動過程を説明するものであって、レバー２が回転開始位置と回転完了位置との間にある状態を示す正面図、図１７（ｂ）は同じくレバー軌跡矯正用ガイドピン２４の移動過程を説明するものであって、レバー２が回転完了位置にある状態を示す正面図、図１７（ｃ）は同じくレバー軌跡矯正用ガイドピン２４の移動過程を説明するものであって、レバー２が嵌合完了位置にある状態を示す正面図、図１８（ａ）は一方のコネクタハウジング１を他方のコネクタハウジング３に装着完了した状態を示す平面図、図１８（ｂ）はその正面図、図１９はその断面図、図２０は図１９の要部の拡大図、図２１は図１８（ａ）のＣ−Ｃ線に沿う断面図である。
【００３６】
先ず、レバー嵌合式電源回路遮断装置１Ａにより電源回路Ｄを導通状態とする動作を説明する。図１０に示すように、レバー２を回転開始位置（移動開始位置）として一方のコネクタハウジング１を他方のコネクタハウジング３の上方より装着スペース３０内に挿入する。すると、一方のコネクタハウジング１の端子フード部８が他方のコネクタハウジング３の端子フード収容部３４に嵌合しつつ挿入されると共に、レバー２の一対のカム溝２１，２１に他方のコネクタハウジング３の一対のカムピン３６，３６が挿入される。そして、図１１及び図１２に示すように、一対のカムピン３６，３６が一対のカム溝２１，２１の各開口部２１ａに入り込み、一対のカムピン３６，３６が一対のカム溝２１，２１の側壁ストッパ面１７に当接され、これにより双方のコネクタハウジング１，３をコネクタ仮嵌合位置にセットする。このコネクタ仮嵌合位置では双方のコネクタハウジング１，３の各端子９，３５間同士は未だ非接触である。
【００３７】
次に、レバー２を図１１及び図１２の矢印Ａ１方向に回転させると、レバー２が一対のガイドピン１１，１１を中心として回転して図１１の回転開始位置から図１４の回転完了位置まで回転される。また、図１６（ａ）に示すように、レバー２の一対のカム溝２１，２１内を他方のコネクタハウジング３の一対のカムピン３６，３６が移動することによって、一方のコネクタハウジング１が他方のコネクタハウジング３内に徐々に近接移動されて入り込む。そして、この近接移動によって、レバー２が回転完了位置に位置するまでに双方のコネクタハウジング１，３の各端子９，３５間が接触状態とされると共に、レバー２の回転完了位置では双方のコネクタハウジング１，３がコネクタ嵌合位置となる。
【００３８】
次に、レバー２を図１４の矢印Ｂ１方向にスライドさせると、レバー２の一対のガイド溝２０，２０内を一対のガイドピン１１，１１がスライドすると共に、図１６（ｂ），（ｃ）に示すように、他方のコネクタハウジング３の一対のカムピン３６，３６がレバー２の一対のカム溝２１，２１内をスライド移動することによって、レバー２が図１４の回転完了位置から図１５の嵌合完了位置までスライド移動（直線移動）する。このスライド移動によってレバー２が嵌合完了位置に位置するまでにレバー２の嵌合検知用雄端子２６が他方のコネクタハウジング３の一対の嵌合検知用雌端子３８，３８に接触される。そして、嵌合検知スイッチＳＷ２がオンされると、リレー回路４２がオンされ、これによって初めて電源回路Ｄが導通状態とされる。
【００３９】
次に、レバー嵌合式電源回路遮断装置１Ａにより導通状態である電源回路Ｄを非導通状態（電源遮断）とする動作を説明する。図１５の状態にあって、レバー２を図１５の矢印Ｂ２方向にスライドさせると、レバー２の一対のガイド溝２０，２０内を一対のガイドピン１１，１１がスライドすると共に、他方のコネクタハウジング３の一対のカムピン３６，３６がレバー２の一対のカム溝２１，２１内をスライド移動することによって、レバー２が図１５の嵌合完了位置から図１４の回転完了位置までスライド移動する。このスライド移動によってレバー２が回転完了位置に位置するまでにレバー２の嵌合検知用雄端子２６が他方のコネクタハウジング３の一対の嵌合検知用雌端子３８，３８より離間して非接触状態とされる。そして、嵌合検知スイッチＳＷ２がオフされると、リレー回路４２がオフされ、この時点で既に電源回路Ｄが非導通状態とされる。
【００４０】
次に、レバー２を図１４の矢印Ａ２方向に回転させると、レバー２が一対のガイドピン１１，１１を中心として回転して図１４の回転完了位置から図１１及び図１２の回転開始位置（移動開始位置）まで回転される。また、レバー２の一対のカム溝２１，２１内を他方のコネクタハウジング３の一対のカムピン３６，３６が移動することによって一方のコネクタハウジング１が他方のコネクタハウジング３の上方に徐々に離間移動されて引き出される。そして、この離間移動によってレバー２が回転開始位置に位置するまでに双方のコネクタハウジング１，３の各端子９，３５間が非接触状態とされると共に、レバー２の回転開始位置では双方のコネクタハウジング１，３がコネクタ仮嵌合位置となる。
【００４１】
尚、一方のコネクタハウジング１を他方のコネクタハウジング３より完全に離間したい場合には、一方のコネクタハウジング１を他方のコネクタハウジング３の上方より取り出せば良い。
【００４２】
以上、このレバー嵌合式電源回路遮断装置１Ａでは、レバー２を回転開始位置（移動開始位置）から回転完了位置に回転移動した過程で、双方のコネクタハウジング１，３の各端子９，３５間が接触状態となり、パワースイッチＳＷ１がオンされるが、電源回路Ｄは未だ非導通であり、レバー２を回転完了位置から嵌合完了位置にスライド移動（直線移動）した過程で嵌合検知スイッチＳＷ２がオンされ、これによって、リレー回路４２がオンされて電源回路Ｄが初めて導通状態となるため、レバー２の操作途中で電源回路Ｄが導通状態となるのを防止することができる。従って、レバー２の操作が完了していないため、電源回路Ｄが未だ非導通であるとの認識が正当なものとなり、事故の発生を未然に防止することができる。
【００４３】
また、電源回路Ｄを導通状態から非導通状態とするに際し、レバー２を嵌合完了位置から回転完了位置に直線移動した過程では、嵌合検知スイッチＳＷ２がオフされ、これによって、リレー回路４２がオフされて電源回路Ｄが非導通状態となり、レバー２を回転完了位置から回転開始位置に回転移動した過程で双方のコネクタハウジング１，３の各端子９，３５間のパワースイッチＳＷ１が離間状態となり、電源回路Ｄがオフされてから双方のコネクタハウジング１，３の各端子９，３５間のパワースイッチＳＷ１が離間されるまでにタイムラグがあり、放電時間が十分に確保される。このため、双方のコネクタハウジング１，３の各端子９，３５間のアーク放電の発生を防止することができる。
【００４４】
要約すれば、電源回路Ｄを導通させるレバー２の操作は回転操作とスライド操作との２アクションからなり、後のスライド操作によって電源回路Ｄが導通され、また、電源回路Ｄを非導通とさせるレバー２の操作はその逆の２アクションからなり、先のスライド操作で電源回路Ｄがオフされ、その次の回転操作で双方のコネクタハウジング１，３の各端子９，３５間のパワースイッチＳＷ１が遅れてオフされ、放電時間を十分に確保することができる。
【００４５】
また、図１１〜図１３に示すコネクタ仮嵌合位置では、双方のコネクタハウジング１，３の端子９，３５間の距離ｄを１．４ｍｍにしたので、双方のコネクタハウジング１，３の各端子９，３５間がアーク放電が発生しない距離だけ離間されている。従って、レバー２が移動開始位置にあり、双方のコネクタハウジング１，３がコネクタ仮嵌合位置では各端子９，３５間が非導通で且つアーク放電の発生のおそれもなく、作業者の安全性を十分に確保することができる。
【００４６】
さらに、前記実施形態では、レバー２の移動は、双方のコネクタハウジング１，３の各端子９，３５間が接触・非接触にされる移動開始位置（移動開始位置）と回転完了位置との間の回転移動と、嵌合検知スイッチＳＷ２がオン・オフされる回転完了位置と嵌合完了位置との間の直線移動とからなり、嵌合検知スイッチＳＷ２によりオン・オフされるリレー回路４２と双方のコネクタハウジング１，３の各端子９，３５によるパワースイッチＳＷ１とが電源回路Ｄに直列接続で介在されたレバー嵌合式電源回路遮断装置１Ａにあって、レバー２が嵌合完了位置から回転完了位置に回転される動作過程で、嵌合検知スイッチＳＷ２やリレー回路４２の故障によりリレー回路４２が正常にオフされなくても、双方のコネクタハウジング１，３がコネクタ仮嵌合位置の状態で双方のコネクタハウジング１，３の各端子９，３５間がアーク放電の発生しない距離（０．５ｍｍ以上）だけ離間している。このため、嵌合検知スイッチＳＷ２やリレー回路４２等の電気回路の故障によりリレー回路４２が常時導通状態となった場合においても、レバー２の操作のみで電源回路Ｄを遮断することができ、作業者の安全性を十分に確保することができる。
【００４７】
また、前記実施形態では、図１１〜図１３に示すコネクタ仮嵌合位置にあって双方のコネクタハウジング１，３の各端子９，３５間の距離（隙間）ｄが１．４ｍｍだけ離間するように設定されているが、０．５ｍｍ以上離間するように設定すれば良い。０．５ｍｍ以上の離間距離があれば、高電圧・大電流用の電源回路Ｄに適用されても双方のコネクタハウジング１，３の各端子９，３５間のアーク放電の発生を確実に防止することができる。
【００４８】
さらに、前記実施形態では、レバー２は、嵌合完了位置にあって指挿入孔２７によって指一本のみでスライド移動の操作が可能とされているので、レバー２を嵌合完了位置から回転完了位置にスライド移動させる操作では指一本を用いてレバー２を操作するしかなく、その後の回転操作ではレバー２を操作する指を持ち替える等して操作する必要がある。従って、電源回路Ｄがオフされてから双方のコネクタハウジング１，３の各端子９，３５間のパワースイッチＳＷ１が離間されるまでに大きなタイムラグが発生して十分な放電時間が確保されるため、双方のコネクタハウジング１，３の各端子９，３５間のアーク放電の発生を確実に防止することができる。
【００４９】
尚、図２２（ａ）は一方のコネクタハウジング１が装着状態ではボルト回転工具４３をボルト３３に装着できないことを説明するための断面図、図２２（ｂ）は一方のコネクタハウジング１が取り外された状態であって、ボルト回転工具４３をボルト３３に装着した状態を示す断面図である。前記実施形態では、図２２（ａ）に示すように、一方のコネクタハウジング１を他方のコネクタハウジング３に装着されている場合にはボルト回転工具４３をボルト３３に装着できず他方のコネクタハウジング３を取り外しできない。そして、図２２（ｂ）に示すように、一方のコネクタハウジング１を他方のコネクタハウジング３より取り外した場合に限りボルト回転工具４３をボルト３３に装着して他方のコネクタハウジング３を取付面より取り外しできる。従って、電源回路Ｄが確実に非導通状態となった場合にのみ他方のコネクタハウジング３を取付面から取り外しすることができ、作業者への安全を確保することができる。
【００５０】
また、前記実施形態では、カム溝２１がレバー２に、カムピン３６が他方のコネクタハウジング３に、それぞれ設けられているが、この逆にカム溝２１を他方のコネクタハウジング３に、カムピン３６をレバー２にそれぞれ設けても良い。これにより、設計の自由度の向上になる。さらに、前記実施形態では、ガイド溝２０がレバー２に、ガイドピン１１が一方のコネクタハウジング１に、それぞれ設けられているが、この逆にガイド溝２０を一方のコネクタハウジング１に、ガイドピン１１をレバー２にそれぞれ設けても良い。これにより、設計の自由度の向上になる。
【００５１】
さらに、前記実施形態では、レバー２が一方のコネクタハウジング１に回転移動、且つ、直線移動自在に設けられ、レバー２を回転移動と直線移動（スライド移動）とによって回転開始位置（移動開始位置）から嵌合完了位置に移動するようになっているが、従来例のようにレバー２を回転移動のみによって移動開始位置から嵌合完了位置に移動するものであっても、或いは、レバー２を直線移動（スライド移動）のみによって移動開始位置から嵌合完了位置に移動するものであっても本発明は適用可能である。
【００５２】
【発明の効果】
以上説明したように、請求項１の発明によれば、レバーを移動自在に設けた一方のコネクタハウジングが他方のコネクタハウジングに離間移動して双方のコネクタハウジングの端子同士が非接触状態とされるコネクタ仮嵌合位置において、双方のコネクタハウジングの各端子間の距離を０．５ｍｍ以上設けたので、双方のコネクタハウジングのコネクタ仮嵌合位置の状態では双方のコネクタハウジングの各端子間が非導通となってアーク放電が発生することがない。これにより、作業者の安全性を十分に確保することができる。
【００５３】
請求項２の発明によれば、レバーが嵌合完了位置から回転完了位置に直線移動する動作過程で嵌合検知スイッチやリレー回路の故障によりリレー回路が正常にオフされなくても、双方のコネクタハウジングのコネクタ仮嵌合位置の状態で双方のコネクタハウジングの各端子間のアーク放電の発生を確実に防止することができる。従って、嵌合検知スイッチやリレー回路等の電気回路の故障によりリレー回路が常時導通状態となった場合においても、レバー操作のみで電源回路を遮断することができ、作業者の安全性を十分に確保することができる。
【図面の簡単な説明】
【図１】本発明の一実施形態を示し、（ａ）は一方のコネクタハウジングの分解正面図、（ｂ）は一方のコネクタハウジングの分解側面図である。
【図２】本発明の一実施形態を示し、レバーの斜視図である。
【図３】本発明の一実施形態を示し、（ａ）はレバーの側面図、（ｂ）は図３（ａ）のＡ−Ａ線に沿う断面図である。
【図４】本発明の一実施形態を示し、レバーを装着した一方のコネクタハウジングであって、レバーが回転開始位置に位置する状態を示す正面図である。
【図５】本発明の一実施形態を示し、レバーを装着した一方のコネクタハウジングであって、レバーが回転開始位置に位置する状態を示す背面図である。
【図６】本発明の一実施形態を示し、（ａ）はレバーを装着した一方のコネクタハウジングの一部切欠平面図、（ｂ）はレバーを装着した一方のコネクタハウジングの底面図である。
【図７】本発明の一実施形態を示し、他方のコネクタハウジングの一部切欠正面図である。
【図８】本発明の一実施形態を示し、（ａ）は他方のコネクタハウジングの平面図、（ｂ）は図８（ａ）のＢ−Ｂ線に沿う断面図である。
【図９】本発明の一実施形態を示し、電源回路の回路図である。
【図１０】本発明の一実施形態を示し、一方のコネクタハウジングを他方のコネクタハウジングに装着前の状態を示す斜視図である。
【図１１】本発明の一実施形態を示し、一方のコネクタハウジングを他方のコネクタハウジングに装着する過程のコネクタ仮嵌合位置であって、レバーが回転開始位置にある状態を示す斜視図である。
【図１２】本発明の一実施形態を示し、一方のコネクタハウジングを他方のコネクタハウジングに装着する過程のコネクタ仮嵌合位置であって、レバーが回転開始位置にある状態を示す一部破断の正面図である。
【図１３】本発明の一実施形態を示し、一方のコネクタハウジングを他方のコネクタハウジングに装着する過程のコネクタ仮嵌合位置であって、回転開始位置にあるレバーを省略した断面図である。
【図１４】本発明の一実施形態を示し、一方のコネクタハウジングを他方のコネクタハウジングに装着する過程であって、レバーが回転完了位置にある状態を示す斜視図である。
【図１５】本発明の一実施形態を示し、一方のコネクタハウジングを他方のコネクタハウジングに装着完了した状態を示す斜視図である。
【図１６】本発明の一実施形態を示し、（ａ）は一方のコネクタハウジングを他方のコネクタハウジングに装着する際のカムピンの移動過程を説明するものであって、レバーが回転開始位置と回転完了位置との間にある状態を示す正面図、（ｂ）は一方のコネクタハウジングを他方のコネクタハウジングに装着する際のカムピンの移動過程を説明するものであって、レバーが回転完了位置にある状態を示す正面図、（ｃ）は一方のコネクタハウジングを他方のコネクタハウジングに装着する際のカムピンの移動過程を説明するものであって、レバーが嵌合完了位置にある状態を示す正面図である。
【図１７】本発明の一実施形態を示し、（ａ）は一方のコネクタハウジングを他方のコネクタハウジングに装着する際のレバー軌跡矯正用ガイドピンの移動過程を説明するものであって、レバーが回転開始位置と回転完了位置との間にある状態を示す正面図、（ｂ）は一方のコネクタハウジングを他方のコネクタハウジングに装着する際のレバー軌跡矯正用ガイドピンの移動過程を説明するものであって、レバーが回転完了位置にある状態を示す正面図、（ｃ）は一方のコネクタハウジングを他方のコネクタハウジングに装着する際のレバー軌跡矯正用ガイドピンの移動過程を説明するものであって、レバーが嵌合完了位置にある状態を示す正面図である。
【図１８】本発明の一実施形態を示し、（ａ）は、一方のコネクタハウジングを他方のコネクタハウジングに装着完了した状態を示す平面図、（ｂ）は一方のコネクタハウジングを他方のコネクタハウジングに装着完了した状態を示す正面図である。
【図１９】本発明の一実施形態を示し、一方のコネクタハウジングを他方のコネクタハウジングに装着完了した状態を示す断面図である。
【図２０】本発明の一実施形態を示し、図１９の要部の拡大図である。
【図２１】本発明の一実施形態を示し、図１８（ａ）のＣ−Ｃ線に沿う断面図である。
【図２２】本発明の一実施形態を示し、（ａ）は一方のコネクタハウジングを他方のコネクタハウジングに装着状態ではボルト回転工具をボルトに装着できないことを説明するための断面図、（ｂ）は一方のコネクタハウジングを他方のコネクタハウジングより取り外された状態であって、ボルト回転工具をボルトに装着した状態を示す断面図である。
【図２３】従来例を示し、電源回路遮断装置の装着手前の斜視図である。
【図２４】従来例を示し、装置本体に着脱プラグを挿入した状態を示す断面図である。
【図２５】従来例を示し、装置本体に着脱プラグを装着する過程を示す側面図である。
【図２６】従来例を示し、装置本体に着脱プラグを装着完了した状態を示す平面図である。
【図２７】従来例を示し、操作レバーが装置本体に不完全挿入された状態を示す側面図である。
【図２８】従来例を示し、操作レバーが装置本体に不完全挿入された状態で操作レバーが回転された状態を示す側面図である。
【図２９】従来例を示し、装置本体に不完全挿入された操作レバーが回転された状態を示す側面図である。
【図３０】従来例を示し、装置本体に不完全挿入された操作レバーが回転されて横倒し位置に位置する状態を示す側面図である。
【符号の説明】
１Ａ  レバー嵌合式電源回路遮断装置
１  一方のコネクタハウジング
２  レバー
３  他方のコネクタハウジング
９  雄端子（端子）
２１  カム溝
３５  雌端子（端子）
３６  カムピン
４２  リレー回路
Ｄ  電源回路
ＳＷ１  パワースイッチ
ＳＷ２  嵌合検知スイッチ
ｄ  端子間の距離
【図１】
0003820354.tif 000002
【図２】
0003820354.tif 000003
【図３】
0003820354.tif 000004
【図４】
0003820354.tif 000005
【図５】
0003820354.tif 000006
【図６】
0003820354.tif 000007
【図７】
0003820354.tif 000008
【図８】
0003820354.tif 000009
【図９】
0003820354.tif 000010
【図１０】
0003820354.tif 000011
【図１１】
0003820354.tif 000012
【図１２】
0003820354.tif 000013
【図１３】
0003820354.tif 000014
【図１４】
0003820354.tif 000015
【図１５】
0003820354.tif 000016
【図１６】
0003820354.tif 000017
【図１７】
0003820354.tif 000018
【図１８】
0003820354.tif 000019
【図１９】
0003820354.tif 000020
【図２０】
0003820354.tif 000021
【図２１】
0003820354.tif 000022
【図２２】
0003820354.tif 000023
【図２３】
0003820354.tif 000024
【図２４】
0003820354.tif 000025
【図２５】
0003820354.tif 000026
【図２６】
0003820354.tif 000027
【図２７】
0003820354.tif 000028
【図２８】
0003820354.tif 000029
【図２９】
0003820354.tif 000030
【図３０】
0003820354.tif 000031